(57)【要約】【課題】本発明は、ペットと飼い主等の居住者の夫々のプライバシーを保ちつつも、飼い主等の居住者にとって清掃等の作業がしやすく、且つ室内空間が雑然とすることも防止できるペットの居場所空間を有する建物を提供することを目的とする。【解決手段】  ペットの出入り口２ａ１が形成された開閉可能なペット建具２ａと、ペット建具２ａと連続した壁３とによって、他の室内空間と区画されたペットの居場所空間Ａを有する。ペットの居場所空間Ａの上方には棚５を備えた収納空間Ｃが形成され、収納空間Ｃを遮蔽する収納建具２ｂがペット建具２ａと建具枠８を共有し且つペット建具２ａに連続して設けられている。ペットの居場所空間Ａを区画する壁３には小窓９が設けられている。【選択図】      図１
2010106483.tif 000002
【特許請求の範囲】
【請求項１】
ペットの出入り口が形成された開閉可能なペット建具と、該ペット建具と連続した壁とによって、他の室内空間と区画されたペットの居場所空間を有することを特徴とする建物。
【請求項２】
前記ペットの居場所空間の上方には棚を備えた収納空間が形成されるとともに、該収納空間を遮蔽する収納建具が前記ペット建具と建具枠を共有し前記ペット建具に連続して設けられたことを特徴とする請求項１に記載した建物。
【請求項３】
前記ペットの居場所空間を区画する壁に小窓が設けられたことを特徴とする請求項１または請求項２に記載した建物。
【発明の詳細な説明】
【技術分野】
【０００１】
本発明は、犬猫等のペットの居場所空間を備えた建物に関するものである。
【背景技術】
【０００２】
従来より、室内で飼育される犬猫等のペットが、睡眠、休憩、食事、排泄等の行為を行うための、ペットの居場所空間を建物内に設けることが行われていた。
【０００３】
例えば、特許文献１に記載のペットコーナーは、室内の片隅を単にフェンス等の仕切りで囲ってペットの居場所空間を構成したものである。このような構成の場合、ペット用の食器、寝具等がまる見えとなり雑然とした室内空間となってしまうという問題があった。また、上方の空間が有効利用しにくいという問題、上方や側方が開放的な為、ペットが落ち着いて休めないという問題、更には、仕切りの中にペットを閉じ込めてしまうのでペットのストレスが溜まりやすいという問題もあった。
【０００４】
特許文献２には、階段下の余剰空間を利用して形成したペットの居場所空間（猫間５）の記載があり、出入り口は完全にオープンとして、出入り口以外は壁で囲うように空間を構成している。このような構成であれば、室内が雑然とすることがなく、しかもペットが自分の意志で出入りが可能であり、室内という閉ざされた空間で生活するペットにストレスが溜まりにくい。
【０００５】
特許文献２に記載のペットの居場所空間の場合、居場所空間と他の空間との分離度を高めて、ペットと飼い主等の居住者の夫々が互いに干渉しあわずに過ごせる場所を確保する為には、出入り口の大きさをペットの体のサイズに合わせるのが好ましい。ところが、ペットの体の大きさに合わせた出入り口を設けた場合、飼い主等の居住者にとっては出入り口が狭小すぎて内部の清掃や寝具等の出し入れ作業などが行い難いという問題があった。
【０００６】
【特許文献１】特開２００２−１９４９０３号公報
【特許文献２】特開２００４−２２２６０３号公報
【発明の開示】
【発明が解決しようとする課題】
【０００７】
本発明は、このような従来技術の有する問題点を解決し、ペットと飼い主等の居住者の夫々のプライバシーを保ちつつも、飼い主等の居住者にとって清掃等の作業がしやすく、且つ室内空間が雑然とすることも防止できるペットの居場所空間を有する建物を提供することを目的とする。
【課題を解決するための手段】
【０００８】
上記従来技術の有する課題を解決するために、本発明に係る建物は、ペットの出入り口が形成された開閉可能なペット建具と、該ペット建具と連続した壁とによって、他の室内空間と区画されたペットの居場所空間を有することを特徴としている。
【０００９】
前記建物において、前記ペットの居場所空間の上方には棚を備えた収納空間が形成されるとともに、該収納空間を遮蔽する収納建具が前記ペット建具と建具枠を共有し前記ペット建具に連続して設けられるのが好ましい。
【００１０】
更に、前記ペットの居場所空間を区画する壁に小窓が設けられるのが好ましい。
【発明の効果】
【００１１】
ペットの出入り口が形成された開閉可能なペット建具によって他の室内空間と区画されたペットの居場所空間を有するので、ペットは出入り口を利用して自由に居場所空間に出入りができる。また、出入り口の大きさはペットの体の大きさに合わせて設定ができるので、内部が視認しにくく室内空間が雑然とすることがなく、しかもペットと飼い主等の居住者の夫々のプライバシーが保つことができる。また、飼い主等の居住者は必要に応じてペット建具を開けて内部の掃除や寝具等の出し入れ作業を不自由なく行うことができる。
【００１２】
また、ペットの居場所空間の上方に、棚を備えると共に前記ペット建具と建具枠を共有し前記建具に連続した収納建具が設けられた収納空間を有する場合は、あまり背丈の大きくない犬猫等のペットの居場所空間の上方の空間を有効利用することができる。
【００１３】
また、ペットの居場所空間を区画する壁に小窓が設けられた場合は、飼い主等の居住者がペットの居場所空間に入ったペットの様子を容易に確認することができ、ペットの居場所空間の自然換気を行う為の換気口としても有効に活用することができる。
【発明を実施するための最良の形態】
【００１４】
続いて、図を参照して本発明に係る建物の最も好ましい実施形態について具体的に説明する。図１は、建物内部のペットの居場所空間周辺の構成を示した図であり、建具セットを閉じた状態を示している。図２は、建物内部のペットの居場所空間周辺の構成を示した図であり、建具セットを開いた状態を示している。
【００１５】
ペットの居場所空間が設けられた建物は、２階建ての戸建住宅であり、各階の天井高は２４００ｍｍに設定されている。
【００１６】
ペットの居場所空間Ａは、建物内のＵターン階段１を有する階段室Ｂの下方の空間を利用して設けられており、建具セット２と壁３とによって他の室内空間と区画されている。ペットの居場所空間Ａの幅は凡そ８００ｍｍ、奥行きは凡そ８５０ｍｍ確保されている。
【００１７】
ペットの居場所空間Ａの上方の空間には、引き出し４や可動式の棚板５が設置された収納空間Ｃが形成されている。
【００１８】
建具セット２は、Ｕターン階段１に連続する廊下Ｄに面して、Ｕターン階段１の昇り口部分と略同一ライン上に並設されている。
【００１９】
建具セット２は、ペット建具２ａと収納建具２ｂを組み合わせて構成されており、床６からほぼ天井７までの高さとなっている。
【００２０】
ペット建具２ａは、形開き形式で、その形状は、切妻屋根の建物の妻面の形状を模したものであり、屋根面に相当する上辺の勾配は凡そ４５度である。また、ペット建具２ａの中央には上部がアーチ状の出入り口２ａ１が設けられ、全体として犬小屋をイメージするデザインとなっている。
【００２１】
中型犬程度の大きさのペットが不自由なく出入りできることを想定して、出入り口２ａ１の幅は凡そ３５０ｍｍ、最高の高さは凡そ６００ｍｍ確保されている。
【００２２】
ペット建具２ａを全開した状態では、幅が凡そ７００ｍｍ、最高の高さが９００ｍｍの開口が確保される。
【００２３】
収納建具２ｂは、両開き形式であり、下辺はペット建具２ａの形状に対応させて斜めに傾斜している。鋭角となるコーナー部分が吊元になるので開いた際の安全性を確保することができる。
【００２４】
建具セット２は、壁３の端縁部に固着された一対の側枠８ａと天井７に固着された上枠８ｂとで構成された建具枠８の内部の開口に配置され、丁番を用いて廊下側に回動するように側枠８ａに固定されている。
【００２５】
端縁部に側枠８ａが固着され建具セット２に連続する壁３は、木材あるいは軽鉄からなる壁下地の両面あるいは一方の面に対し石膏ボードを固着し、更に仕上材として壁紙を貼着して構成されている。また、向かって左側の壁３には、直径凡そ２５０ｍｍの小窓９が下端の高さが床６から凡そ３００ｍｍとなるように設けられている。
【００２６】
ペットの居場所空間Ａ内部の床６は前面の廊下Ｄの床６と同一レベルであり、廊下Ｄの床６と同一の木質系のフローリング材で仕上げられている。
【００２７】
上記構成によれば、ペットの出入り口２ａ１が形成された開閉可能なペット建具２ａによって他の室内空間と区画されたペットの居場所空間Ａを有するので、ペットは出入り口２ａ１を利用して自由に居場所空間Ａに出入りできる。また、出入り口２ａ１の大きさはペットの体の大きさに合わせて設定されており、内部が視認しにくく室内空間が雑然とすることがなく、しかもペットと飼い主等の居住者の夫々のプライバシーが保つことができる。また、飼い主等の居住者は必要に応じてペット建具２ａを開けて内部の掃除や寝具等の出し入れ作業を不自由なく行うことができる。
【００２８】
また、ペットの居場所空間Ａの上方に、棚を備えると共にペット建具２ａと建具枠８を共有し且つペット建具２ａに連続した収納建具２ｂが設けられた収納空間Ｃを有するので、あまり背丈の大きくない犬猫等のペットの居場所空間Ａの上方空間を有効利用することができる。
【００２９】
また、ペットの居場所空間Ａを区画する壁３に小窓９を設けているので、飼い主等の居住者がペットの居場所空間Ａに入ったペットの様子を容易に確認することができ、ペットが外の様子を伺うこともできる。また、小窓９をペットの居場所空間Ａの自然換気を行う為の換気口としても有効に活用することができる。
【００３０】
上記実施形態では、ペットの居場所空間Ａの上方を収納空間Ｃとしているが、ペットの居場所空間Ａを階段下等の高さが確保されない部位に設ける場合には、収納空間Ｃや収納建具２ｂを省略しても構わない。
【００３１】
また、上記実施形態では、ペット建具２ａは犬小屋を模した形状であったが、この形状に限定されるものではなく、一般的な建具と同様矩形状であってもよく、出入り口２ａ１についても矩形、円形、半円形等様々な形状とすることが可能である。また、開閉形式についても、両開き形式等であってもよい。また、出入り口２ａ１をペット建具２ａの下端まで到達させて跨ぐ動作を不要としてもよい。
【００３２】
また、上記実施形態では、ペット建具２ａを犬小屋を模した形状とした為、収納建具２ｂを両開き形式としたが、ペット建具２ａが単純な矩形の場合、収納建具２ｂは、片開き、引き違い、折りたたみ等、様々な形式を採用することができる。
【００３３】
また、ペットの居場所空間Ａ内部の床６や壁３、ペット用建具２ａ等に防水性や耐水性を持たせ、更に排水口などの排水設備を設けるなどして水洗い可能とし、ペットの居場所空間Ａの清掃性を向上させることも可能である。
【産業上の利用可能性】
【００３４】
本発明に係る建物は、犬猫等の一般的なペットに限らず、室内で飼育される様々なペットとの生活に適している。
【図面の簡単な説明】
【００３５】
【図１】建物内部のペットの居場所空間周辺の構成を示した図であり、建具セットを閉じた状態を示している。
【図２】建物内部のペットの居場所空間周辺の構成を示した図であり、建具セットを開いた状態を示している。
【符号の説明】
【００３６】
Ａ…ペットの居場所空間
Ｂ…階段室
Ｃ…収納空間
Ｄ…廊下
１…Ｕターン階段
２…建具セット
２ａ…ペット建具
２ｂ…収納建具
３…壁
４…引き出し
５…棚
６…床
７…天井
８…建具枠
８ａ…側枠
８ｂ…上枠
９…小窓
【図１】
2010106483.tif 000003
【図２】
2010106483.tif 000004